(57)【要約】【課題】予混合式バ−ナの予熱であるスタンバイ中に、バイパス開閉弁が自動的に駆動することで耐久性が低下することを防止した給湯機を提供する。【解決手段】熱交換器１の下流に設けた給湯管４と、前記給水管２から分岐され前記熱交換器１をバイパスして前記給湯管４に合流するバイパス管５と、該バイパス管５途中に設けたバイパス開閉弁６と、所望の給湯温度を設定する温度設定手段１１とを備え、更に一定時間前記予混合式バ−ナ１０を気化可能温度のスタンバイ状態に保持するスタンバイ回路１３とを備えたもので、前記バイパス開閉弁６はスタンバイ中で給湯管４に備えた流量センサ８が所定流量を検知することで開成し、給湯サ−ミスタ９が給湯設定温度以上で該給湯設定温度で決まる所定温度以下を所定時間継続することで閉成するので、周辺部品及び開閉弁自身の耐久性は良好に維持されると共に、火傷の危険も確実に防止出来るものである。【選択図】　図２
2004061004.tif 000002
【特許請求の範囲】
【請求項１】
給水管と、該給水管の下流に設けた熱交換器と、該熱交換器を加熱する気化ヒ−タを備えた予混合式バ−ナと、前記熱交換器の下流に設けた給湯管と、前記給水管から分岐され前記熱交換器をバイパスして前記給湯管に合流するバイパス管と、該バイパス管途中に設けたバイパス開閉弁と、所望の給湯温度を設定する温度設定手段とを備え、更に一定時間前記予混合式バ−ナを気化可能温度のスタンバイ状態に保持するスタンバイ回路とを備えたものに於いて、前記バイパス開閉弁はスタンバイ中で給湯管に備えた流量センサが所定流量を検知することで開成し、給湯サ−ミスタが給湯設定温度以上で該給湯設定温度で決まる所定温度以下を所定時間継続することで閉成する事を特徴とする給湯機。
【発明の詳細な説明】
【０００１】
【発明の属する技術分野】
この発明は給湯停止後の後沸きを緩和して再給湯開始時の湯温のオーバーシュートを抑制するため、給水管から分岐し熱交換器をバイパスして給湯管に合流するバイパス管を設けた給湯機に関するものである。
【０００２】
【従来の技術】
従来よりこの種のものに於いては、例えば特開２０００−３２０８９４号公報に開示されているが如く、熱交換器をバイパスするバイパス管にバイパス開閉弁を設け、給湯停止後に給湯湯温が所定温度以上に上昇することで、このバイパス開閉弁を開成し給湯開始時に高温給湯で火傷することを防止するものであった。
【０００３】
【発明が解決しようとする課題】
ところでこの従来のものでは、給湯開始、停止に関係なく給湯管内の給湯湯温が所定温度以上でバイパス開閉弁が開成するので、バ−ナが予熱気化式のものでは、予めバ−ナを気化可能温度に予熱しておくスタンバイ状態があり、この時熱交換器もこの予熱で加熱され、給湯湯温が所定温度以上になることで、給湯が停止状態でもバイパス開閉弁が開成するので、長時間の開成状態で開閉弁が発熱し、周辺部品の耐久性や開閉弁自身の耐久性が問題になるものであった。
【０００４】
【課題を解決するための手段】
この発明はこの点に着目し上記欠点を解決する為、特にその構成を、給水管と、該給水管の下流に設けた熱交換器と、該熱交換器を加熱する気化ヒ−タを備えた予混合式バ−ナと、前記熱交換器の下流に設けた給湯管と、前記給水管から分岐され前記熱交換器をバイパスして前記給湯管に合流するバイパス管と、該バイパス管途中に設けたバイパス開閉弁と、所望の給湯温度を設定する温度設定手段とを備え、更に一定時間前記予混合式バ−ナを気化可能温度のスタンバイ状態に保持するスタンバイ回路とを備えたものに於いて、前記バイパス開閉弁はスタンバイ中で給湯管に備えた流量センサが所定流量を検知することで開成し、給湯サ−ミスタが給湯設定温度以上で該給湯設定温度で決まる所定温度以下を所定時間継続することで閉成するものである。
【０００５】
これにより、バイパス開閉弁はお湯の流れがある給湯中のみしか作動せず、しかもスタンバイ中の予熱で熱交換器内の残油が加熱されて高温状態となっていても、給湯開始時にはバイパス開閉弁が開成して水が混入されて温度降下し、火傷の心配がない給湯が行われるものであり、更に熱交換器内の残湯が全て流出することでバイパス開閉弁は閉成されるので、アンダ−シュ−トも確実に防止されるものであり、更に周囲部品や開閉弁自身の耐久性には何らの影響も与えないもので、長期の使用が可能である。
【０００６】
【発明の実施の形態】
次にこの発明に係る給湯機を図面に示された一実施例を基に説明する。
１はフィンアンドチューブ式の熱交換器で、該熱交換器１の上流側には水道管と接続されている給水管２を備え、又下流側には給湯栓３を終端に有した給湯管４を備えている。
【０００７】
５は給水管２から分岐され熱交換器１をバイパスして給湯管４に接続されたバイパス管で、該バイパス管５途中には常閉の電磁弁よりなるバイパス開閉弁６を備えている。
【０００８】
７は給水管２のバイパス管５の分岐点よりも上流側に備えられた給水サ−ミスタで、給水温度を随時検出し、熱交換器１側に設けられた流量センサ８が備えられ、熱交換器１内へ流入する水の流量Ｑを検知するものであり、９は給湯管４のバイパス管５の合流点よりも下流側に備えられた給湯サ−ミスタで、バイパス開閉弁６の開成による水混入後の給湯温度或いは、バイパス開閉弁６の閉成時で水の混入がない給湯温度を検出するものである。
【０００９】
１０は熱交換器１を介して水を加熱する予混合式バーナで、その加熱量は所望の給湯温度Ｔを設定する温度設定手段１１と前記給水サ−ミスタ７及び流量センサ８、給湯サ−ミスタ９の信号を入力として、給湯設定温度Ｔと給湯サ−ミスタ９の検知する湯温ｔが一致するようにマイコンより構成される制御器１２で制御されるものである。
【００１０】
１３は予混合式バ−ナ１０を給湯予定の所定時間の間気化可能温度のスタンバイ状態に保持するスタンバイ回路で、予混合式バ−ナ１０の気化器（図示せず）に備えた気化ヒ−タ１４への通電を温度センサ１５による検知温度によって制御し、予め設定された時間の間気化可能温度に保持して、直ぐに給湯が開始出来るようにしているものである。
【００１１】
更に前記制御器１２は、スタンバイ中で給湯栓３が開かれ流量センサ８が２．０Ｌ／ｍｉｎ以上を検出することで、バイパス開閉弁６を開成すると共に予混合式バ−ナ１０の燃焼を開始させ、給湯が開始と同時に水の混入が行われ、そして給湯設定温度Ｔが５５度Ｃ以上では１３度Ｃをプラスし、給湯設定温度Ｔが５５度Ｃ未満では１０度Ｃをプラスした所定温度以下を、給湯サ−ミスタ９が、給湯開始からの積算流量が０．９Ｌ以上の時は所定時間０で、０．９Ｌ未満の時は所定時間１〜３秒継続して検出することで、バイパス開閉弁６を閉成するものである。
【００１２】
次にこの一実施例の作動を図２のフロ−チャ−トに基づいて説明する。
今予混合式バ−ナ１０を予熱しておくスタンバイモ−ドをスタ−トさせ、給湯栓３が開放され入水管２に水道管からの水が流通すると、ステップ１（以下Ｓ１と略す）で流量センサ７で検知する流量が最低作動流量２．０Ｌ／ｍｉｎ以上であることを検知すると、Ｓ２で予混合式バーナ１０をＯＮすると共にバイパス開閉弁６を開成する。
【００１３】
これにより、万一スンタバイモ−ド中の予熱で熱交換器１内の残湯が加熱されて高温状態であったとしても、バイパス管５からの水の混入でぬるめられて、火傷する危険を確実に防止出来、常に安心して使用出来るものである。
【００１４】
次に、Ｓ３で給湯サ−ミスタ９による給湯検出温度が、給湯設定温度で決まる給湯設定温度＋アルファ−温度の所定温度以下かを判断し、ＹＥＳでＳ４に進み給湯開始からの積算流量が０．９未満かを判断し、ＹＥＳではＳ５に進んで所定温度以下の検出が所定時間以上継続したかを判断し、ＹＥＳでバイパス開閉弁６を閉成するＳ６に進むものであり、Ｓ４で０．９Ｌ以上のＮＯでは直ぐにこのＳ６に進むものである。
【００１５】
従って、熱交換器１内の温度上昇した残油が全て給湯として放出されてから、バイパス開閉弁６が閉成されるので、スタンバイ中の給湯によるオーバーシュート及びアンダーシュートを確実に防止して、常に良好な給湯が行われるものである。
【００１６】
【発明の効果】
以上のようにこの発明によれば、スタンバイ中の給湯開始による火傷の危険を確実に防止出来、常に安心して使用出来るものであり、しかも従来のように周囲部品の耐久性やバイパス開閉弁自身の耐久性に悪影響を与える心配が全くなく、長期に渡って使用出来るものであり、更にスタンバイ中の給湯によるオーバーシュート及びアンダーシュートを確実に防止して、常に良好な給湯が行われるものである。
【図面の簡単な説明】
【図１】この発明の一実施例の概略構成図。
【図２】この発明の一実施例のフローチャート。
【符号の説明】
１　熱交換器
２　給水管
４　給湯管
５　バイパス管
６　バイパス開閉弁
８　流量センサ
９　給湯サ−ミスタ
１０　予混合式バ−ナ
１１　温度設定手段
１２　制御器
１３　スタンバイ回路
１４　気化ヒ−タ
【図１】
2004061004.tif 000003
【図２】
2004061004.tif 000004